(57)【特許請求の範囲】
【請求項１】
広告を含むコンテンツを表示する表示装置を移動体に取り付けるための取付支持具であって、
表示装置を取付け可能な主軸と、
移動体に取り付ける際に移動体の屋根部外面の一部又は全部と接触する、複数の屋根部接触アームと
を含み、
前記主軸が、人間が乗車する側である移動体内側に位置するように設置される、取付支持具。
【請求項２】
取付支持具が、移動体内側に接触する補助接触部を含む、請求項１に記載の取付支持具。
【請求項３】
前記補助接触部が、取付支持具の主軸に対して着脱可能である、請求項２に記載の取付支持具。
【請求項４】
前記屋根部接触アームの少なくとも一方が、取付支持具の主軸に対して着脱可能である、請求項１〜３のいずれかに記載の取付支持具。
【請求項５】
請求項１に記載の取付支持具を取り付けた、ゴルフ用カート。
【請求項６】
前記主軸に、表示装置を取り付けるための表示装置支持具を取り付け、
カートの運転手の視野内に、表示装置の表示面が含まれないように、表示装置を取り付けた、請求項５に記載のゴルフ用カート。
【請求項７】
表示装置を取付け可能な主軸と、
移動体に取り付ける際に移動体の屋根部外面の一部又は全部と接触する、複数の屋根部接触アームと
を含み、前記主軸が、人間が乗車する側である移動体内側に位置するように設置された取付支持具に表示装置を取り付けて、さらに移動体に該取付支持具を取り付けたうえで、該表示装置に広告を含むコンテンツを表示する広告方法。
【発明の詳細な説明】
【技術分野】
【０００１】
本発明は、取付支持具、ゴルフ用カート、及び、広告方法に関する。
【背景技術】
【０００２】
ゴルフ場にはプレイヤが移動するためのカートがある。また、コースに関する情報を表示するナビを搭載したカートもある。さらに、該ナビに広告を表示するものもある。
【発明の概要】
【発明が解決しようとする課題】
【０００３】
しかし、ゴルフのプレイヤにとってコースに関する情報は重要な情報である。コース情報を表示するナビに広告を表示することは、ゴルフプレイヤにとって不評であった。その結果、ナビに広告を流すことができず、ゴルフプレイヤに対して効果的な宣伝広告を提供できていなかった。
【０００４】
また、カートはメーカごとに仕様が異なり、材質や構造も異なることが多い。そこで、いずれのメーカのカートであっても簡便に使用可能な広告手段が求められていた。
【０００５】
本発明の実施の形態における少なくとも１つの目的は、新たな広告方法を提供することである。
【課題を解決するための手段】
【０００６】
非限定的な観点によると、本発明に係る取付支持具は、広告を含むコンテンツを表示する表示装置を移動体に取り付けるための取付支持具であって、表示装置を取付け可能な主軸と、移動体に取り付ける際に移動体の屋根部外面の一部又は全部と接触する、複数の屋根部接触アームとを含む、取付支持具である。
【０００７】
非限定的な観点によると、本発明に係るゴルフ用カートは、表示装置を取付け可能な主軸と、移動体に取り付ける際に移動体の屋根部外面の一部又は全部と接触する、複数の屋根部接触アームとを含む取付支持具を取り付けた、ゴルフ用カートである。
【０００８】
非限定的な観点によると、本発明に係る広告宣伝方法は、表示装置を取付け可能な主軸と、移動体に取り付ける際に移動体の屋根部外面の一部又は全部と接触する、複数の屋根部接触アームとを含む取付支持具に表示装置を取り付けて、さらに移動体に該取付支持具を取り付けたうえで、該表示装置に広告を含むコンテンツを表示する広告方法である。
【発明の効果】
【０００９】
本発明の各実施形態により１または２以上の不足が解決される。
【図面の簡単な説明】
【００１０】
【図１】本発明の実施の形態に対応する、ゴルフ用カートを表す図である。
【図２】本発明の実施の形態に対応する、取付支持具を表す図である。
【図３】本発明の実施の形態に対応する、移動体に対する取付支持具の取り付けを説明する図である。
【図４】本発明の実施の形態に対応する、表示装置の取り付けを説明する図である。
【図５】本発明の実施の形態に対応する、表示装置の取り付けを説明する図である。
【発明を実施するための形態】
【００１１】
以下、添付図面を参照して、本発明の実施の形態について説明する。以下、効果に関する記載は、本発明の実施の形態の効果の一側面であり、ここに記載するものに限定されない。
【００１２】
以下、本発明の実施の形態の一例として、表示装置を設置したゴルフ用カートを挙げて説明する。本発明はこれに限定されるものではなく、設計変更して移動体に適用することを妨げない。「移動体」とは、例えば、自動車等車両をいう。表示装置には、広告を含むコンテンツが表示され得る。
【００１３】
［カート概要］
図１は、本発明の実施の形態に対応する、ゴルフ用カートを表す図である。カート本体１は、屋根部１１、及び側面部フレーム１２ａ〜１２ｄを少なくとも備え得る。
【００１４】
屋根部１１は、例えば繊維強化プラスチック等により形成される。側面部フレーム１２は、例えばスチール、アルミニウム等により形成される。カート本体１は、二人乗りであっても四人又は五人乗りであってもよい。
【００１５】
図示していないが、カート本体１は、屋根部フレーム１３を備えてもよい。屋根部フレーム１３は、カートの進行方向と平行に、屋根部１１に沿って設置され得るものである。屋根部フレーム１３は、例えばスチール、アルミニウム等により形成される。
【００１６】
［取付支持具］
図２は、本発明の実施の形態に対応する、取付支持具を表す図である。取付支持具２０は、屋根部接触アーム２１ａ、２１ｂ、屋根部接触部２２ａ、２２ｂ、補助アーム継手部２３、補助接触部２４ａ、２４ｂ、及び主軸２５を含み得る。
【００１７】
屋根部１１の耐久性を向上させるために、取付支持具２０を軽量化することが好ましい。取付支持具２０は、例えば、ステンレス、アルミニウム、繊維強化プラスチック等により形成され得る。屋根部接触アーム２１は、屋根部１１と接触する部位である。屋根部接触アーム２１は、主軸２５と接続され得る。屋根部接触アーム２１は、主軸２５と一体に形成されていてもよい。
【００１８】
屋根部接触アーム２１の屋根部１１との接触部分には、屋根部接触部２２が含まれ得る。屋根部接触部２２は、屋根部１１と接触した場合に摩擦を生じる材質で形成されることが好ましく、例えば、ゴム等で形成されることが好ましい。
【００１９】
屋根部接触アーム２１は、屋根部１１を挟み得る主軸２５と屋根部接触部２２と距離を調整可能にするための伸縮機構を備えていてもよい。屋根部接触アーム２１を伸縮自在にすることで、屋根部１１の厚みが異なる場合であっても適切に接触させることができる。
【００２０】
補助アーム継手部２３の一端は主軸２５を通せるように中空に穴が形成されており、他の一端には補助接触部２４を含み得る。主軸２５を通した一端は、主軸２５に対して固定され得る。
【００２１】
補助接触部２４は、後述する屋根部フレーム１３と接触し得る。補助接触部２４は、屋根部フレーム１３と接触した場合に摩擦を生じる材質で形成されることが好ましい。例えば、ゴム等で形成されることが好ましい。
【００２２】
主軸２５は、例えば、ステンレス、アルミニウム、繊維強化プラスチック等により形成され得る。図中では一本の軸であるが、複数の軸で形成されてもよい。また、本発明の効果が生じる限り、棒状に限定されるものではない。
【００２３】
［取付支持具の取り付け］
図３は、本発明の実施の形態に対応する、移動体に対する取付支持具の取り付けを説明する図である。図３（Ａ）〜（Ｄ）は、屋根部１１に取付支持具２０を取り付けた様子を、水平方向から見た図である。
【００２４】
図３（Ａ）は、屋根部１１と屋根部フレーム１３との間に空間があり、取付支持具２０の主軸２５を通せる場合を説明する図である。屋根部１１と屋根部フレーム１３との間に主軸２５を通し、屋根部接触アーム２１ａ及び２１ｂを屋根部１１と接触させる。また、補助接触部２４ａを屋根部フレーム１３ａと、補助接触部２４ｂを屋根部フレーム１３ｂとがそれぞれ接触する位置で補助アーム継手部２３を固定する。
【００２５】
図３（Ｂ）は、屋根部１１と屋根部フレーム１３との間の空間が狭く、取付支持具２０の主軸２５を通せない場合を説明する図である。屋根部フレーム１３の下に主軸２５を通し、屋根部接触アーム２１ａ及び２１ｂを屋根部１１と接触させる。また、補助接触部２４ａを屋根部フレーム１３ａと、補助接触部２４ｂを屋根部フレーム１３ｂとがそれぞれ接触する位置で補助アーム継手部２３を固定する。このとき、補助アーム継手部２３を回転させ、主軸２５から見て、屋根部接触アーム２１及び補助接触部２４が略同一方向に向いて固定される。
【００２６】
図３（Ｃ）は、屋根部１１と屋根部フレーム１３との間の空間が狭く、取付支持具２０の主軸２５を通せない場合であって、屋根部接触アーム２１ａ及び２１ｂを所定の部材で接続した場合を説明する図である。ここでは図３（Ｂ）と共通する部分の説明は省略し、異なる部分のみ説明する。屋根部接触アーム２１ａ及び２１ｂを接続部材２６により接続する。これにより、屋根部１１の外側面を覆うように取付支持具２０が設置される。
【００２７】
接続部材２６は、屋根部１１と摩擦を生じ得る素材で形成されることが好ましく、例えばゴム等により形成されることが好ましい。接続部材２６は、屋根部１１に対する負荷を分散させるために、網状の素材で形成され、屋根部１１と接する面積を大きくするように設置されるようにしてもよい。
【００２８】
図３（Ｄ）は、屋根部フレーム１３が無い場合を説明する図である。屋根部１１の下に主軸２５を通し、屋根部接触アーム２１ａ及び２１ｂを屋根部１１と接触させる。また、補助接触部２４ａ及び補助接触部２４ｂが屋根部１１に接触する位置で補助アーム継手部２３を固定する。このとき、補助アーム継手部２３を回転させ、主軸２５から見て、屋根部接触アーム２１及び補助接触部２４が略同一方向に向いて固定される。
【００２９】
［表示装置の取り付け］
図４は、本発明の実施の形態に対応する、表示装置の取り付けを説明する図である。図４（Ａ）は、取付支持具２０に表示装置３０を取り付け、表示画面を正面視した場合の図である。表示装置３０は、縦置きでも横置きでも良い。
【００３０】
図４（Ｂ）は、取付支持具２０に表示装置３０を取り付け、主軸２５の中心軸方向から見た場合の図である。表示装置支持具２７の一端に主軸２５を取り付け、他の一端に表示装置３０を取り付ける。表示装置支持具２７の表示装置３０を取り付ける一端は、表示装置３０を挟み込むように把持可能な構造であることが好ましいが、これに限定されない。表示装置３０を固定できれば表示装置支持具２７の構造は問わない。
【００３１】
表示装置支持具２７は、主軸２５及び表示装置３０から着脱が容易でないことが好ましい。例えば、鍵を用いてのみ着脱ができることが好ましい。表示装置３０に対するいたずらを防止するためである。
【００３２】
［運転手の視野に入らない設置］
図５は、本発明の実施の形態に対応する、表示装置の取り付けを説明する図である。表示装置３０は、運転手の視野に含まれないように設置されることが好ましい。表示装置に表示されるコンテンツに運転手が気を取られて起こし得る事故を防止するためである。
【００３３】
続いて、運転手の視野内に、表示装置の表示面が含まれないように表示装置を設置する方法について詳述する。図５（Ａ）は、カートを俯瞰した図である。図５（Ｂ）は、カートをカートの進行方向左側から水平視した図である。
【００３４】
カート本体１には四人のプレイヤが乗車している。運転手（図中右上に位置する人物）はカートを運転するため、前方を注視する必要がある。一方、同乗者たちはナビを見たり、周囲の景色を見たりすることができる。
【００３５】
表示装置３０は、屋根部１１に取り付けられた取付支持具２０に取り付けられるため、プレイヤたちの頭上に位置することが好ましい。図５（Ａ）に示すように、運転手の水平方向の有効視野角は１２０度程度である。また、図５（Ｂ）に示すように、運転手の鉛直方向の有効視野角は４０度程度である。つまり、この有効視野角に含まれない範囲に表示装置３０の表示面が位置することが好ましい。
【００３６】
表示装置３０が運転手の視野角に含まれないようにする措置として、例えば、表示装置３０の運転手側の面に壁を設けて物理的に視野に含まれないようにしてもよい。あるいは、図示するように、表示装置３０の表示面を傾けることにより、視野に含まれないようにしてもよい。表示面を傾ける場合には、表示装置支持具２７を取り付ける主軸２５の位置に傾斜をつける等工夫をすることで実現するようにしてもよい。
【００３７】
［電源］
表示装置３０は電源を要する電子機器であり得る。例えば、ナビのようにカート本体１の電源を用いてもよい。あるいは、表示装置３０に内蔵される電池によりコンテンツを表示してもよい。
【００３８】
［コンテンツの更新］
表示装置３０は、無線通信が可能であることが好ましい。このようにすることで、ゴルフをプレイする人の属性に応じたコンテンツを事前に取得して更新したり、プレイ中に更新することが可能となる。
【００３９】
また、カート本体１の位置情報を取得可能であることが好ましい。このようにすることで、位置に応じたコンテンツを表示することができ、タイムリーな広告を提供することが可能となる。
【００４０】
本発明の実施の形態に示した取付支持具２０は、どのような材質、どのような構造のカートであっても簡便に取り付けが可能である。支持具を取り付けるにあたり、既存のカートを改造する必要がなく、経済的に優れた効果を有するものである。
【００４１】
上述の説明では、ナビとの関係を示していなかったが、例えばコースの情報等を示すナビとは別に、本発明の実施の形態に示した取付支持具２０を取り付けた広告手段を用いるようにしてもよい。
【００４２】
実施の形態の一側面として、新たな広告方法を提供することができる。
【００４３】
実施の形態の一側面として、補助接触部２４を用いることで、屋根部１１への負荷を軽減させ、かつ、より強力に取付支持具２０を固定することができる。
【００４４】
実施の形態の一側面として、補助接触部２４が、主軸２５に対して着脱可能であることで、取付支持具２０の移動体への取り付けが容易となる。
【００４５】
実施の形態の一側面として、屋根部接触アーム２１の少なくとも一つが、主軸２５に対して着脱可能であることで、取付支持具２０の移動体への取り付けが容易となる。
【００４６】
実施の形態の一側面として、カートの運転手の視野内に、表示装置３０の表示面が含まれないように、取付支持具２０に表示装置３０を取り付けることで、よそ見を防止し、結果として事故を防止する効果がある。
【００４７】
実施の形態において、「コンテンツ」とは、例えば、広告を含む情報であって、文字列、静止画、又は動画であってもよい。「表示装置」とは、例えば、記憶装置に記憶された情報、又は通信により受信した情報を表示する装置であって、表示面を備えるものをいう。「屋根部外面」とは、例えば、屋根の上面をいい、移動体に乗車している人間から視認不可能な位置にある領域をいう。「移動体内側」とは、例えば、移動体に乗車している人間から視認可能な位置にある領域をいう。「接触」とは、例えば、物体間において摩擦が生じる程度に接することをいう。
【符号の説明】
【００４８】
１          ：カート本体
１１        ：屋根部
１２        ：側面部フレーム
１３        ：屋根部フレーム
２０        ：取付支持具
２１        ：屋根部接触アーム
２２        ：屋根部接触部
２３        ：補助アーム継手部
２４        ：補助接触部
２５        ：主軸
２６        ：接続部材
２７        ：表示装置支持具
３０        ：表示装置
【要約】      （修正有）【課題】新たな広告方法を提供する。【解決手段】広告を含むコンテンツを表示する表示装置を移動体に取り付けるための取付支持具であって、表示装置を取付け可能な主軸２５と、移動体に取り付ける際に移動体の屋根部外面の一部又は全部と接触する、複数の屋根部接触アーム２１ａ、２１ｂとを含む取付支持具に表示装置を取り付けて、さらに移動体に該取付支持具を取り付けたうえで、該表示装置に広告を含むコンテンツを表示する広告方法。【選択図】図３【図１】
0006920567.tif 000002
【図２】
0006920567.tif 000003
【図３】
0006920567.tif 000004
【図４】
0006920567.tif 000005
【図５】
0006920567.tif 000006